(57)【要約】【課題】ＰＣなどのコンピュータを効率よく冷却する冷却システム、冷却方法、プログラムおよび記録媒体を提供する。【解決手段】ＰＣ１０の内部に設置された温度センサ１３が通常動作時よりも高い温度である異常温度を検知すると、制御部１１は冷却部１４を動作あるいは出力上昇させる。また同時に、通信部１５を介してサーバ２０にＰＣ１０の異常温度に係る情報を送信し、サーバ２０は異常温度に係る情報をもとに、冷却装置３０の動作制御を指示してＰＣ１０の設置場所を冷却する。このようにして、冷却部１４によりＰＣ１０を内部から、また冷却装置３０によりＰＣ１０を外部から、それぞれ連動して冷却するので、より効果的にＰＣ１０を冷却することができる。【選択図】図２
2007328633.tif 000002
【特許請求の範囲】
【請求項１】
装置内部に配置され温度を検知する第１のセンサと、前記装置内部を冷却する第１の冷却手段と、前記第１のセンサおよび前記冷却手段を制御する制御手段とを有する情報処理装置と、
前記情報処理装置が配置された場所を冷却する第２の冷却手段とが相互に接続可能であり、
前記第１の冷却手段と前記第２の冷却手段とを連動させて前記情報処理装置を冷却することを特徴とする冷却システム。
【請求項２】
前記第１のセンサにて異常温度を検知した場合には、
前記制御手段は、前記第１の冷却手段にて前記情報処理装置の内部から冷却するよう制御し、かつ、前記第２の冷却手段にて前記情報処理装置の外部から冷却するよう制御することを特徴とする請求項１記載の冷却システム。
【請求項３】
装置内部に配置され温度を検知する第１のセンサと、前記装置内部を冷却する第１の冷却手段と、前記第１のセンサおよび前記冷却手段を制御する制御手段とを有する少なくとも１以上の情報処理装置と、
前記情報処理装置が配置された場所を冷却する少なくとも１以上の第２の冷却手段と、
前記制御手段からの制御情報に基づいて、前記第２の冷却手段の動作制御を指示するサーバとを有し、
前記第１の冷却手段と前記第２の冷却手段とを連動させて前記情報処理装置を冷却することを特徴とする冷却システム。
【請求項４】
前記第１のセンサにて異常温度を検知した場合には、前記制御手段は前記第１の冷却手段にて前記情報処理装置の内部から冷却するように制御し、かつ、当該冷却手段の制御に係る前記制御情報を前記サーバに送信し、
前記サーバは、前記制御情報の送信元の前記情報処理装置が配置された場所を前記第２の冷却手段にて冷却するよう制御することを特徴とする請求項３記載の冷却システム。
【請求項５】
前記第１のセンサが検知した温度が所定の温度まで低下した場合には、前記第１の冷却手段および第２の冷却手段は、動作を停止または動作出力を低下させることを特徴とする請求項１から４のいずれか１項記載の冷却システム。
【請求項６】
前記コンピュータの外部近傍に、当該コンピュータの異常温度に係る情報を検知する第２のセンサを有することを特徴とする請求項１から５のいずれか１項記載の冷却システム。
【請求項７】
前記サーバは、前記第２のセンサにて検知した温度情報に基づいて、または、前記制御情報および前記温度情報に基づいて、前記第２の冷却手段の冷却動作を制御することを特徴とする請求項３から６のいずれか１項記載の冷却システム。
【請求項８】
情報処理装置内部に配置された第１のセンサが異常温度を検知すると、前記情報処理装置内部に配置された第１の冷却手段にて当該情報処理装置を内部から冷却する第１の冷却工程と、
前記異常温度を検知したときに、前記情報処理装置の外部に配置された第２の冷却手段にて当該情報処理装置を外部から冷却する第２の冷却工程とを有し、
前記第１の冷却工程と前記第２の冷却工程とを連動させて前記情報処理装置を冷却することを特徴とする冷却方法。
【請求項９】
情報処理装置内部に配置された第１のセンサが異常温度を検知すると、前記情報処理装置内部に配置された第１の冷却手段にて当該情報処理装置を内部から冷却する第１の冷却工程と、
前記異常温度を検知したときに、当該異常温度に係る温度情報および第１の冷却手段の動作情報をサーバへ送信する送信工程と、
前記サーバが、受信した前記温度情報および前記動作情報に基づいて、前記情報処理装置の外部に配置された第２の冷却手段を制御し、当該情報処理装置を外部から冷却する第２の冷却工程とを備え、
前記第１の冷却工程と前記第２の冷却工程とを連動させて前記コンピュータを冷却することを特徴とする冷却方法。
【請求項１０】
前記第１のセンサにて検知された前記温度情報が所定の温度まで低下した場合には、前記第１の冷却手段および第２の冷却手段の冷却動作を、停止させるか、あるいは前記冷却動作の出力を低下させることを特徴とする請求項８または９記載の冷却方法。
【請求項１１】
前記サーバは、
前記情報処理装置の外部近傍に設けられ、前記温度情報を検知する第２のセンサにて検知された前記温度情報に基づいて、または、前記制御情報および当該温度情報に基づいて、前記第２の冷却手段の冷却動作を制御することを特徴とする請求項９記載の冷却方法。
【請求項１２】
情報処理装置内部に配置された第１のセンサが異常温度を検知すると、前記情報処理装置内部に配置された第１の冷却手段にて当該情報処理装置を内部から冷却する第１の冷却処理と、
前記異常温度を検知したときに、前記情報処理装置の外部に配置された第２の冷却手段にて当該情報処理装置を外部から冷却する第２の冷却処理とを有し、
前記第１の冷却処理と前記第２の冷却処理とを連動させて前記情報処理装置を冷却するようコンピュータに実行させるためのプログラム。
【請求項１３】
情報処理装置内部に配置された第１のセンサが異常温度を検知すると、前記情報処理装置内部に配置された第１の冷却手段にて当該情報処理装置を内部から冷却する第１の冷却処理と、
前記異常温度を検知したときに、当該異常温度に係る温度情報および第１の冷却手段の動作情報をサーバへ送信する送信処理と、
前記サーバが、受信した前記温度情報および前記動作情報に基づいて、前記情報処理装置の外部に配置された第２の冷却手段を制御し、当該情報処理装置を外部から冷却する第２の冷却処理とを有し、
前記第１の冷却処理と前記第２の冷却処理とを連動させて前記情報処理装置を冷却するようコンピュータに実行させるためのプログラム。
【請求項１４】
前記第１のセンサにて検知された温度情報が所定の温度まで低下した場合には、前記第１の冷却手段および第２の冷却手段の冷却動作を、停止させるか、あるいは前記冷却動作の出力を低下させるようコンピュータに実行させることを特徴とする請求項１２または１３記載のプログラム。
【請求項１５】
前記サーバは、
前記情報処理装置の外部近傍に設けられ、前記温度情報を検知する第２のセンサにて検知された前記温度情報に基づいて、または、前記制御情報および当該温度情報に基づいて、前記第２の冷却手段の冷却動作を制御するようコンピュータに実行させることを特徴とする請求項１３記載のプログラム。
【請求項１６】
請求項１２から１５のいずれか１項記載のプログラムを記録したコンピュータ読取可能な記録媒体。
【発明の詳細な説明】
【技術分野】
【０００１】
本発明は、ＰＣなどのコンピュータの冷却を行う冷却システム、冷却方法、プログラムおよび記録媒体に関する。
【背景技術】
【０００２】
パーソナルコンピュータ（ＰＣ）をはじめ各種の電子機器では、ＣＰＵや基板などの発熱素子を備えている。これらの発熱源は、近年のＰＣにおける情報処理能力の高速化に伴って、その発熱量が急激に増大している。
【０００３】
増大した発熱を効率よく外部に放熱するようなＰＣの発熱対策として、従来のＰＣなどにおけるコンピュータシステムでは、コンピュータ内部に冷却ファンなどの冷却システムを備え、内部で生じた熱を外部へと廃棄（廃熱）している。しかし、コンピュータが配置された環境を操作する手段を有してはいなかった。
【０００４】
このような問題を解決する従来の技術としては、特許文献１，２に開示された発明が公知である。特許文献１には、温度異常が発生した原因を正確に判別し、適切な処置を迅速に実行できる温度異常処理方式に関する技術が開示されている。
【０００５】
また、特許文献２には、部屋に設置されたパソコンおよびそれらを接続するＬＡＮを活用することで、センサなどを接続する専用のケーブルを敷設することなく、建物内の空調などを管理する建物管理システムに関する技術が開示されている。
【特許文献１】特開２００５−２１５７９４号公報
【特許文献２】特開平１０−１４１７４６号公報
【発明の開示】
【発明が解決しようとする課題】
【０００６】
上述したように、従来のコンピュータシステムでは、コンピュータの内部に冷却システムを有し、コンピュータ内部で生じた熱を外部へ廃棄しているが、コンピュータが配置された環境を操作するものではない。つまり、コンピュータが設置されている場所の冷却システムについて考慮されていないので、コンピュータの冷却ファンを高回転にしても期待通りにコンピュータを冷却することができなかった。
【０００７】
また、特許文献２に開示された発明は、コンピュータ近傍に配置された温度センサによってコンピュータが配置された室内の温度を調節することはできるものの、コンピュータ内部の温度について冷却などの調節するものではない。すなわち従来の技術においては、コンピュータの内部温度とコンピュータが設置された場所（部屋など）の温度とを連動させて冷却する手段が無かった。
【０００８】
このような課題に鑑み、本発明は、情報処理装置内部の冷却手段と外部の冷却手段とを連動させて、効率よく冷却することの可能な冷却システム、冷却方法、プログラムおよび記録媒体を提供することを目的としている。
【課題を解決するための手段】
【０００９】
上記の目的を達成するため、請求項１に記載の発明は、装置内部に配置され温度を検知する第１のセンサと、装置内部を冷却する第１の冷却手段と、第１のセンサおよび冷却手段を制御する制御手段とを有する情報処理装置と、情報処理装置が配置された場所を冷却する第２の冷却手段とが相互に接続可能であり、第１の冷却手段と第２の冷却手段とを連動させて情報処理装置を冷却する冷却システムであることを特徴とする。
【００１０】
請求項２に記載の発明は、請求項１記載の冷却システムにおいて、第１のセンサにて異常温度を検知した場合には、制御手段は、第１の冷却手段にて情報処理装置の内部から冷却するよう制御し、かつ、第２の冷却手段にて情報処理装置の外部から冷却するよう制御することを特徴とする。
【００１１】
請求項３に記載の発明は、装置内部に配置され温度を検知する第１のセンサと、装置内部を冷却する第１の冷却手段と、第１のセンサおよび冷却手段を制御する制御手段とを有する少なくとも１以上の情報処理装置と、情報処理装置が配置された場所を冷却する少なくとも１以上の第２の冷却手段と、制御手段からの制御情報に基づいて、第２の冷却手段の動作制御を指示するサーバとを有し、第１の冷却手段と第２の冷却手段とを連動させて情報処理装置を冷却する冷却システムであることを特徴とする。
【００１２】
請求項４に記載の発明は、請求項３記載の冷却システムにおいて、第１のセンサにて異常温度を検知した場合には、制御手段は第１の冷却手段にて情報処理装置の内部から冷却するように制御し、かつ、当該冷却手段の制御に係る制御情報をサーバに送信し、サーバは、制御情報の送信元の情報処理装置が配置された場所を第２の冷却手段にて冷却するよう制御することを特徴とする。
【００１３】
請求項５に記載の発明は、請求項１から４のいずれか１項記載の冷却システムにおいて、第１のセンサが検知した温度が所定の温度まで低下した場合には、第１の冷却手段および第２の冷却手段は、動作を停止または動作出力を低下させることを特徴とする。
【００１４】
請求項６に記載の発明は、請求項１から５のいずれか１項記載の冷却システムにおいて、コンピュータの外部近傍に、当該コンピュータの異常温度に係る情報を検知する第２のセンサを有することを特徴とする。
【００１５】
請求項７に記載の発明は、請求項３から６のいずれか１項記載の冷却システムにおいて、サーバは、第２のセンサにて検知した温度情報に基づいて、または、制御情報および温度情報に基づいて、第２の冷却手段の冷却動作を制御することを特徴とする。
【００１６】
請求項８に記載の発明は、情報処理装置内部に配置された第１のセンサが異常温度を検知すると、情報処理装置内部に配置された第１の冷却手段にて当該情報処理装置を内部から冷却する第１の冷却工程と、異常温度を検知したときに、情報処理装置の外部に配置された第２の冷却手段にて当該情報処理装置を外部から冷却する第２の冷却工程とを有し、第１の冷却工程と第２の冷却工程とを連動させて情報処理装置を冷却する冷却方法であることを特徴とする。
【００１７】
請求項９に記載の発明は、情報処理装置内部に配置された第１のセンサが異常温度を検知すると、情報処理装置内部に配置された第１の冷却手段にて当該情報処理装置を内部から冷却する第１の冷却工程と、異常温度を検知したときに、当該異常温度に係る温度情報および第１の冷却手段の動作情報をサーバへ送信する送信工程と、サーバが、受信した温度情報および動作情報に基づいて、情報処理装置の外部に配置された第２の冷却手段を制御し、当該情報処理装置を外部から冷却する第２の冷却工程とを有し、第１の冷却工程と第２の冷却工程とを連動させてコンピュータを冷却する冷却方法であることを特徴とする。
【００１８】
請求項１０に記載の発明は、請求項８または９記載の冷却方法において、第１のセンサにて検知された温度情報が所定の温度まで低下した場合には、第１の冷却手段および第２の冷却手段の冷却動作を、停止させるか、あるいは冷却動作の出力を低下させることを特徴とする。
【００１９】
請求項１１に記載の発明は、請求項９記載の冷却方法において、サーバは、情報処理装置の外部近傍に設けられ、前記温度情報を検知する第２のセンサにて検知された温度情報に基づいて、または、制御情報および当該温度情報に基づいて、第２の冷却手段の冷却動作を制御することを特徴とする。
【００２０】
請求項１２に記載の発明は、情報処理装置内部に配置された第１のセンサが異常温度を検知すると、情報処理装置内部に配置された第１の冷却手段にて当該情報処理装置を内部から冷却する第１の冷却処理と、異常温度を検知したときに、情報処理装置の外部に配置された第２の冷却手段にて当該情報処理装置を外部から冷却する第２の冷却処理とを有し、第１の冷却処理と第２の冷却処理とを連動させて情報処理装置を冷却するようコンピュータに実行させるためのプログラムであることを特徴とする。
【００２１】
請求項１３に記載の発明は、情報処理装置内部に配置された第１のセンサが異常温度を検知すると、情報処理装置内部に配置された第１の冷却手段にて当該情報処理装置を内部から冷却する第１の冷却処理と、異常温度を検知したときに、当該異常温度に係る温度情報および第１の冷却手段の動作情報をサーバへ送信する送信処理と、サーバが、受信した温度情報および動作情報に基づいて、情報処理装置の外部に配置された第２の冷却手段を制御し、当該情報処理装置を外部から冷却する第２の冷却処理とを有し、第１の冷却処理と第２の冷却処理とを連動させて情報処理装置を冷却するようコンピュータに実行させるためのプログラムであることを特徴とする。
【００２２】
請求項１４に記載の発明は、請求項１２または１３記載のプログラムにおいて、第１のセンサにて検知された温度情報が所定の温度まで低下した場合には、第１の冷却手段および第２の冷却手段の冷却動作を、停止させるか、あるいは冷却動作の出力を低下させるようコンピュータに実行させることを特徴とする。
【００２３】
請求項１５に記載の発明は、請求項１３記載のプログラムにおいて、サーバは、情報処理装置の外部近傍に設けられ、前記温度情報を検知する第２のセンサにて検知された温度情報に基づいて、または、制御情報および当該温度情報に基づいて、第２の冷却手段の冷却動作を制御するようコンピュータに実行させることを特徴とする。
【００２４】
請求項１６に記載の発明は、請求項１２から１５のいずれか１項記載のプログラムを記録したコンピュータ読取可能な記録媒体であることを特徴とする。
【発明の効果】
【００２５】
このように、本発明の冷却システム、冷却方法、プログラムおよび記録媒体によれば、情報処理装置をその内部および外部から効果的に冷却することができる。
【発明を実施するための最良の形態】
【００２６】
以下に、本実施形態の冷却システム、冷却方法、プログラムおよび記録媒体について、図面を参照しながら詳細に説明する。なお、本実施形態は以下に述べるものに限定されず、その趣旨を逸脱しない範囲において種々変更が可能である。
図１は、本実施形態の冷却システムを用いた場合の一例を示す概略図である。
【００２７】
図１に示すように、本実施形態の冷却システムは、プログラムなどの制御により動作するＰＣ１０と、複数台のＰＣ１０を管理するサーバ２０と、コンピュータルームなどＰＣ１０が配置された場所・環境を冷却する冷却装置３０とで構成される。
【００２８】
図２は、本実施形態の冷却システムの構成を示すブロック図である。
図２に示すように、本実施形態の冷却システムは、ＰＣ１０と、サーバ２０と、冷却装置３０とで構成される。また、ＰＣ１０は、制御部１１と、記憶部１２と、温度センサ１３と、冷却部１４と、通信部１５とを備えている。
【００２９】
制御部１１は、ＰＣ１０全体の各種制御を行うものであり、ＣＰＵ（Central Processing Unit）やＭＰＵ（Micro Processor Unit）などで構成される。この制御部１１が、温度センサ１３にて検知された異常な温度（発熱）に基づいて冷却部１４の冷却動作などを適宜制御することによって、ＰＣ１０の動作による異常発熱をＰＣ１０内部から冷却することができる。
【００３０】
記憶部１２は、ＰＣ１０の各種データを記憶するものであり、ＰＣ１０の制御を行うための制御プログラム、アプリケーション等の情報を記録するＲＯＭ（Read Only Memory）や、所定のアプリケーションプログラムを起動したとき、そのプログラムを実行する際に使用する各種情報を一時的に記録し、情報の読み書きを行うための作業領域となる記憶部であるＲＡＭ（Random Access Memory）などで構成される。
【００３１】
温度センサ１３は、ＰＣ１０内部の温度を検知するセンサである。例えば、ＰＣ１０にて膨大な量の情報を処理する際に上述したＣＰＵなど制御部１１が発熱した場合、すなわち異常温度になった場合には、この温度センサ１３が当該発熱（異常温度）を検知する。なお、本実施形態における異常温度とは、ＰＣ１０が通常動作時に発熱する許容範囲内の温度よりも高温になるような、異常発熱の場合などを指す。
【００３２】
冷却部１４は、冷却ファンやヒートパイプ、冷却液を用いた液冷式構造などで構成され、ＰＣ１０を内部から冷却する。上述した温度センサ１３にて発熱を検知すると、制御部１１が冷却部１４を動作させるように制御する。
【００３３】
通信部１５は、ＰＣ１０と外部との情報の送受信を行うもので、サーバ２０とネットワークを介して接続可能な状態にある。温度センサ１３にて発熱を検知すると、制御部１１が冷却部１４へ冷却指示を出すと同時に、通信部１５を介して、現在の温度状態（発熱による異常温度状態）に係る温度情報をサーバ２０へと通知する。
【００３４】
サーバ２０は、ＰＣ１０を管理するサーバであり、例えば複数台のＰＣ１０とネットワークを介して相互に接続可能な状態になっている。そして上述したように、各ＰＣ１０内の温度センサ１３で検知した発熱に対して、制御部１１から送られてくる現在の温度状態と冷却装置３０への冷却指示とを管理する機能を有する。
【００３５】
またサーバ２０では、各ＰＣ１０の設置場所と冷却部１４の稼動状況とに応じて、ＰＣ１０が接続されている設置場所全体に関する冷却装置３０の制御計画を策定して制御を実施する。また、ＰＣ１０内部の冷却部１４は、ＰＣ１０に搭載された管理プログラムなどによっても動作させることが可能であり、ＰＣ１０内部の冷却部１４と連動して稼動させることで、より効果的にＰＣ１０を冷却することができる。
【００３６】
冷却装置３０は、冷房機能を有する空調機や扇風機などを制御するもので、ＰＣ１０が設置されている場所・環境を冷却する。本実施形態ではこの冷却装置３０にて、例えば、複数台のＰＣ１０を冷却する複数台の空調機や扇風機を個々に全て制御する。ＰＣ１０の配置状況に応じて、空調機や扇風機などを配置し冷却装置３０にて管理することで、効率がよくきめ細かなＰＣ１０の冷却制御を行うことが可能となる。
【００３７】
本実施形態では、通信部１４を介してＰＣ１０がサーバ２０と接続可能な構成であり、サーバ２０がＰＣ１０の設置場所情報と、温度センサ１３の情報と、各ＰＣ１０内の冷却システム（冷却部１４）の稼動状況についての情報を入手することができる。
【００３８】
また、ＰＣ１０内部の温度センサ１３にて検知した温度情報に基づいて、制御部１１が冷却部１４の動作を制御することで冷却部１４の稼動率が変動する。この変動に応じて、サーバ２０はコンピュータルーム内などＰＣ１０が設置された設置場所の冷却装置３０を適宜稼動させる。これによって、ＰＣ１０の内部および外部から効率よくＰＣ１０を冷却することが可能となる。
【００３９】
また、冷却装置３０の配置位置を変更することで、異常発熱したＰＣ１０に対応する冷却装置３０のみを変動稼動させることも可能である。したがって、異常発熱したＰＣ１０のみをピンポイントで冷却し、通常の温度で動作しているＰＣ１０および冷却部１４については動作を変動させないように制御することができる。
【００４０】
次に、本実施形態の冷却システムの動作について説明する。
図３は、本実施形態の冷却システムの動作を示すフローチャートである。
【００４１】
まず通常時において、ＰＣ１０の制御部１１は、温度センサ１３にて検知される温度情報を定期的に読み取る（ステップＳ１０１）。ここで、読み取ったときの温度情報が異常温度か否かを判定する（ステップＳ１０２）。温度センサ１３が異常温度を検知しない場合には（ステップＳ１０２／Ｎｏ）、そのまま待機する。
【００４２】
温度センサ１３が異常温度を検知した場合には（ステップＳ１０２／Ｙｅｓ）、冷却部１４を動作させてＰＣ１０内部を冷却する（ステップＳ１０３）。このとき同時に、制御部１１は通信部１５を介して、ＰＣ１０が異常温度の状態にあることをサーバ２０へ送信（通知）する（ステップＳ１０４）。
【００４３】
サーバ２０では、ＰＣ１０が異常温度状態であることを受信すると、冷却装置３０を動作させるように指示する（ステップＳ１０５）。また、冷却装置３０が動作中の場合には、現在の温度よりもさらに温度が下がるように冷却システムの出力を上げるよう指示する。
【００４４】
その後、温度センサ１３にて検知される温度情報が正常な温度を示しているか、すなわち冷却部１４および冷却装置３０の動作によってＰＣ１０が通常動作時の温度まで冷却されたかを確認する（ステップＳ１０６）。ここで正常な温度を示していれば（ステップＳ１０６／Ｙｅｓ）、冷却部１４および冷却装置３０の動作を停止するか、あるいは出力を下げて（ステップＳ１０７）、処理を終了する。一方、検知した温度情報が異常温度である場合には（ステップＳ１０６／Ｎｏ）、冷却部１４および冷却装置３０によるＰＣ１０の冷却動作を続行させる（ステップＳ１０８）。
【００４５】
なお、上述した異常温度発生時において、冷却部１４および冷却装置３０の動作開始や動作中時における出力の上げ下げは、適宜変更が可能である。つまり、ある異常温度発生時（異常発熱時）に冷却部１４の動作出力と冷却装置３０の動作出力とが連動すればよいので、例えば、冷却部１４の出力はあまり上げず冷却装置３０の出力を大きめに上昇させることとしてもよい。１つの冷却装置３０に対して複数のＰＣ１０が多発的に異常温度を発している場合などは、特に効果的である。
【００４６】
このように、本実施形態の冷却システムによれば、異常温度発生時に冷却部１４にてＰＣ１０の内部から冷却し、また冷却装置３０にてＰＣ１０の外部から冷却することができる。ＰＣ１０の内部および外部から連動してより効果的に冷却を行うことができるので、ＰＣ１０の内部温度を効率よく制御することが可能となる。
【００４７】
また、本実施形態の冷却システムによれば、ＰＣ１０が異常温度の冷却に係る情報を外部に提供していない場合であっても、冷却部１４と冷却装置３０とを連動させてＰＣ１０を冷却することが可能である。
【００４８】
図４は、本実施形態の冷却システムの他の一例を模式的に示す図である。
図４は、図２に示した本実施形態の冷却システムにおいて、ＰＣ１０の外部近傍にセンサ１６を設けた場合を示している。なお、図４中において図２と同一の符号を付したものはその構成・動作が同一のものであるので、ここでは説明を省略する。
【００４９】
この図４に示すように、ＰＣ１０（通信部１５）とサーバ２０とが接続されておらず、ＰＣ１０の外部近傍に設けられたセンサ１６がサーバ２０と接続されている。センサ１６には、例えば、温度センサや風力センサなどが用いられ、例えばＰＣ１０の廃熱口など発熱源の温度を検知可能な場所に設置される。
【００５０】
このように、ＰＣ１０が温度センサ１３や冷却部１４の情報を外部に提供していない場合であっても、ＰＣ１０の外部近傍、例えば上述した廃熱口付近などにセンサ１６を設置することで、冷却部１４と冷却装置３０とを連動させてＰＣ１０を冷却することが可能となる。
【００５１】
このような図４に示す構成に加えて、さらに図５に示すように、ＰＣ１０とサーバ２０とが接続されることとしてもよい。ＰＣ１０とサーバ２０とが接続されて温度センサ１３や冷却部１４の情報がサーバ２０へと提供され、かつセンサ１６によってＰＣ１０外部近傍の異常温度に係る情報も提供されることになる。したがって、異常発熱に係るより詳細な情報をサーバ２０が取得可能となり、一層効果的にＰＣ１０を冷却することができる。
【００５２】
また一方、本実施形態の冷却システムでは、サーバ２０を介さずに、ＰＣ１０と冷却装置３０とを直接接続可能な構成としてもよい。この場合、ＰＣ１０の制御部１１は、通信部１５を介して冷却装置３０へ異常温度の情報を送り、またＰＣ１０への冷却動作の開始（動作中であれば出力の上昇）を指示する。このように、異常温度が検知されたＰＣ１０ごとに直接、ＰＣ１０外部からの冷却を行うことができる。
【００５３】
さらに本実施形態の冷却システムでは、ＰＣ１０の設置台数や設置場所に応じて、冷却装置３０を複数設置してもよい。この際、冷却装置３０の設置位置（ＰＣ１０を冷却可能な位置）を、発熱源を的確に冷却できる位置に配置することで、上述したようにコンピュータルーム全体を冷却しなくても発熱源のＰＣのみをピンポイントで冷却することが可能となり、エネルギ効率の向上にもつながる。
【図面の簡単な説明】
【００５４】
【図１】本実施形態の冷却システムの一例を模式的に示す外観図である。
【図２】本実施形態の冷却システムの構成を示すブロック図である。
【図３】本実施形態の冷却システムの動作を示すフローチャートである。
【図４】本実施形態の冷却システムの他の構成を示すブロック図である。
【図５】本実施形態の冷却システムのさらに他の構成を示すブロック図である。
【符号の説明】
【００５５】
１０    ＰＣ
１１    制御部
１２    記憶部
１３    温度センサ
１４    冷却部
１５    通信部
１６    センサ
２０    サーバ
３０    冷却装置
【図１】
2007328633.tif 000003
【図２】
2007328633.tif 000004
【図３】
2007328633.tif 000005
【図４】
2007328633.tif 000006
【図５】
2007328633.tif 000007